(57)【要約】【課題】構図変更があったことをユーザに明確に伝えることを可能とし、従来のように再生画像と画像添付情報が合わないという不具合を防止することを可能とした構図変化検出処理装置を提供する。【解決手段】デジタルカメラにおいて、システム制御部１は、フォーカスロックまたは測光ロックしてから撮影が完了するまでの間に構図変化があったか否かを検出し、撮影後に作成する画像ファイルに対し、前記検出されたフォーカスロックまたは測光ロックしてから撮影が完了するまでの間の構図変化の有無を示す構図変化情報を添付する。システム制御部１は、フォーカスロックまたは測光ロックしてから撮影が完了するまでの間に構図変化があった場合、ＴＦＴ表示部３２３に画像を表示する際に、合焦マークまたはＡＦロックポイントマークを緑枠にして表示する。【選択図】      図１
2004248229.tif 000002
【特許請求の範囲】
【請求項１】
撮影に関する設定から撮影が完了するまでの間の構図変化の有無を検出する構図変化検出手段と、撮影後に作成する画像ファイルに対し、前記構図変化検出手段により検出された前記撮影に関する設定から撮影が完了するまでの間の構図変化の有無を示す構図変化情報を添付する情報制御手段とを有することを特徴とする構図変化検出処理装置。
【発明の詳細な説明】
【０００１】
【発明の属する技術分野】
本発明は、デジタルカメラにおいて再生画像に所定の情報を重ねて表示する場合に適用される構図変化検出処理装置に関する。
【０００２】
【従来の技術】
従来、デジタルカメラでは、画像記憶部に記憶された撮影画像を画像記憶部から再生し再生画像を画像表示部に表示する際に、画像に添付される、撮影時の合焦した測距点を示す測距点情報や、測光ロック（測光値を決定すること）した位置を示す位置情報を元に、撮影時の合焦した測距点や測光ロックした位置を再生画像に重ねた状態で表示することで、撮影時の合焦した測距点や測光ロックした位置を確認できるようにしていた。
【０００３】
【発明が解決しようとする課題】
しかしながら、上記従来技術においては次のような問題があった。上記デジタルカメラによる撮影時に、フォーカスロック（合焦位置を固定すること）や測光ロックを行った後に構図を変更して撮影すると、合焦した測距点情報や測光ロックした位置情報は構図を変更する前の情報なので、再生画像と合焦した測距点情報や測光ロックした位置情報を重ねて表示すると、合焦した測距点情報の表示は、フォーカスロックした被写体と一致しないし、測光ロックした位置情報の表示は、測光ロックした被写体とも一致しなくなってしまうという問題があった。
【０００４】
本発明は、上述した点に鑑みなされたものであり、構図変更があったことをユーザに明確に伝えることを可能とし、従来のように再生画像と画像添付情報が合わないという不具合を防止することを可能とした構図変化検出処理装置を提供することを目的とする。
【０００５】
【課題を解決するための手段】
上記目的を達成するため、本発明の構図変化検出処理装置は、撮影に関する設定から撮影が完了するまでの間の構図変化の有無を検出する構図変化検出手段と、撮影後に作成する画像ファイルに対し、前記構図変化検出手段により検出された前記撮影に関する設定から撮影が完了するまでの間の構図変化の有無を示す構図変化情報を添付する情報制御手段とを有することを特徴とする。
【０００６】
【発明の実施の形態】
以下、本発明の実施の形態を図面に基づいて詳細に説明する。
【０００７】
［第１の実施の形態］
本発明の第１の実施の形態を図１〜図１７に基づいて詳細に説明する。図１は第１の実施の形態に係るデジタルカメラの概略構成を示すブロック図である。デジタルカメラは、システム制御部１、撮像部２、撮像部制御回路３、前バッファメモリ４、画像処理部５、メモリ制御部６、後バッファメモリ７、インタフェース（Ｉ／Ｆ）８、ハードディスク９、モータ制御回路１０、シャッタ制御回路１１、測光回路１２、焦点検出回路１３、液晶表示部（液晶表示回路）１４、画像表示部（画像表示回路）１５、操作部１６、レンズ制御回路１７を備えている。
【０００８】
図１において、システム制御部１は、後述する撮像部制御回路３、メモリ制御部６、モータ制御回路１０、シャッタ制御回路１１、測光回路１２、焦点検出回路１３、液晶表示部１４、画像表示部１５、操作部１６と通信を行うことで、システム全体の制御を行う。また、システム制御部１は、デジタルカメラ内部に格納された制御プログラムまたはデジタルカメラ外部から供給される制御プログラムに基づき、図４〜図１１（第１の実施の形態）、図１８〜図２５（第２の実施の形態）のフローチャートに示す処理を実行する。撮像部２は、被写体の光学像を電気信号に光電変換する撮像素子（ＣＣＤイメージセンサ等）を含む撮像に関するモジュール群である。撮像部制御回路３は、上記撮像素子を駆動する等の制御を行う。
【０００９】
前バッファメモリ４は、画像データの一時記憶領域となるメモリである。画像処理部５は、撮像部２で撮影された画像データと撮影日付等の画像情報をもとに画像処理を行う。後バッファメモリ７は、画像処理部５で処理された画像を蓄積するメモリである。メモリ制御部６は、前バッファメモリ４と後バッファメモリ７とハードディスク９に対する画像データの書き込み及び読み出しを制御する。
インタフェース（Ｉ／Ｆ）８は、画像処理後の画像データを後バッファメモリ７からハードディスク９に記憶させるためのインタフェースを司る。ハードディスク９は、画像データを記憶する。
【００１０】
モータ制御回路１０は、不図示のミラーやシャッタを駆動するモータの駆動制御を行う。シャッタ制御回路１１は、システム制御部１からの信号に従って、不図示のシャッタの先幕やシャッタの後幕を走行させ、撮像素子に被写体からの光を露光させる制御を行う。測光回路１２は、図１７に示す測光領域が２１分割された測光センサ１８からの出力をシステム制御部１に出力する。焦点検出回路１３は、不図示のフォーカス検出用センサに対する電荷蓄積制御、信号読み出し制御を行うことで、フォーカス（焦点調節）に関わる画像情報をシステム制御部１に出力する。システム制御部１は、公知の位相差検出方法により焦点検出を行い、デジタルカメラの筐体に脱着可能なレンズの内部に配設されているレンズ制御回路１７と通信を行うことでレンズを駆動し、焦点調節を行う。
【００１１】
液晶表示部（液晶表示回路）１４は、デジタルカメラのシャッタ秒時（ＣＣＤイメージセンサの電荷蓄積時間）、絞り値等の各種設定情報やデジタルカメラの他の各種情報を表示するものであり、図２の表示パネル１・２０９や図３の表示パネル２・３２２に対する表示を制御している。画像表示部（画像表示回路）１５は、デジタルカメラで撮影された画像を表示するためのものであり、画像の他にも液晶表示部１４で表示されない細かいデジタルカメラの各種情報等を表示することが可能であり、図３のＴＦＴ（Ｔｈｉｎ  Ｆｉｌｍ  Ｔｒａｎｓｉｓｔｏｒ）表示部３２３に対する表示を制御している。
【００１２】
操作部１６は、図２及び図３で図示している各種ボタンやスイッチ、ダイヤルの操作状態を検出する。図２及び図３におけるダイヤル（メイン電子ダイヤル２０７、サブ電子ダイヤル３１２）は位相差検出タイプであり、回転数と回転方向が判る仕組みとなっている。また、図２におけるシャッタボタン２０６も操作部１６に接続されているが、このシャッタボタン２０６は２段階のストロークスイッチとなっており、デジタルカメラの動作では、第１ストローク（測光／ＡＦ開始スイッチがオン）で測光とＡＦ（オートフォーカス＝自動焦点調節）を開始し、第２ストローク（撮影操作スイッチがオン）で撮影動作を開始する。レンズ制御回路１７は、不図示の脱着可能なレンズの内部に配設されており、デジタルカメラ内部のシステム制御部１からの指示に従いレンズ内部の焦点調節や絞り機構の駆動を行う。
【００１３】
図２及び図３は上記デジタルカメラの外観構造を示す上面図及び背面図であり、後述する動作説明で使用する各種操作ボタンや各種表示部の配置を示す図である。尚、図２及び図３における各種操作ボタンや各種表示部のうち主要部以外の機能は説明を簡略化するものとする。
【００１４】
図２において、撮影モード選択ボタン２０１は、撮影モードを選択する際に押下する。ＡＦモード選択ボタン２０２は、ＡＦモードを選択する際に押下する。
測光モード選択ボタン２０３は、測光モードを選択する際に押下する。表示パネル照明ボタン２０４は、後述の各表示パネルを照明する際に押下する。ＦＥ（Ｆｌａｓｈ  Ｅｘｐｏｓｕｒｅ）ロックボタン２０５は、ＦＥロックを指示する際に押下する。シャッタボタン２０６は、撮影を行う際に押下するものであり、上述したように測光／ＡＦ開始スイッチと撮影開始スイッチを内蔵している。メイン電子ダイヤル２０７は、撮影モード等の各種モードの変更や、シャッタ秒時（ＣＣＤイメージセンサの電荷蓄積時間）や絞り値の変更を指示する際に操作する。露出補正ボタン２０８は、露出補正量の設定処理を指示する際に押下する。表示パネル１・２０９は、デジタルカメラの各種設定情報や他の各種情報を表示する。
【００１５】
図３において、ＭＥＮＵボタン３０１は、ＭＥＮＵ画面の表示を指示する際に押下する。ＳＥＬＥＣＴボタン３０２は、ＳＥＬＥＣＴボタン関連処理を指示する際に押下する。音声／プロテクトボタン３０３は、音声の入力処理等を指示する際に押下する。ＤＩＳＰボタン３０４は、撮影画像の再生表示を指示する際に押下する。ＥＲＡＳＥボタン３０５は、表示中の撮影画像の消去処理等を指示する際に押下する。視度調節つまみ３０６は、ピント調節を行う際に押下する。アイビースシャッタレバー３０７は、撮影者背後の太陽光線等の強い光が覗き窓に入光することを防止する遮光機構を動作させる際に押下する。アシストボタン３０８は、その押下により多機能ボタンとして機能する。
【００１６】
ＡＥロックボタン３０９は、ＡＥロックを指示する際に押下する。ＡＦフレーム選択ボタン３１０は、複数の測距点の一部または全部の選択を指示する際に押下する。サブ電子ダイヤルスイッチ３１１は、主に露出補正機能の停止を指示する際に押下する。サブ電子ダイヤル３１２は、ＴＦＴ表示部３２３に表示されるメニューを選択する際に操作する。ＣＦ蓋開閉つまみ３１３は、ＣＦ（コンパクトフラッシュ（登録商標））カードが装着された収納部の蓋の開閉を指示する際に押下する。ＣＦアクセスランプ３１４は、メモリ制御部６がＣＦカードにアクセスする際に点灯する。
【００１７】
縦位置用ＡＥロックボタン３１５は、デジタルカメラを縦にした縦位置状態（デジタルカメラの上部を横にした状態）で撮影を行う時にＡＥロックを指示する際に押下する。縦位置用ＡＦフレーム選択ボタン３１６は、デジタルカメラを縦位置状態で撮影を行う時に複数の測距点の一部または全部の選択を指示する際に押下する。縦位置用アシストボタン３１７は、デジタルカメラを縦位置状態で撮影を行う時にその押下により多機能ボタンとして機能する。メインスイッチ３１８は、デジタルカメラの使用時に押下する。マイク３１９は、音声を入力する際に使用する。ＷＢボタン３２０は、撮影画像のＷＢ（ホワイトバランス）設定処理を指示する際に押下する。ＱＵＡＬＩＴＹボタン３２１は、撮影画像画質設定処理等を指示する際に押下する。表示パネル２・３２２は、デジタルカメラの各種設定情報や他の各種情報を表示する。ＴＦＴ表示部３２３は、画像に各種情報を重ねた状態で表示する。
【００１８】
図１７は上記デジタルカメラに装備された測光センサ１８の構成例を示す図である。測光センサ１８は、例えば測光領域Ｒ０〜Ｒ２０に２１分割されている。
測光センサ１８においては、被写体に適した輝度を得るために、上記２１分割された測光領域Ｒ０〜Ｒ２０毎に輝度を測定するものである。測光センサ１８は、測光領域Ｒ０〜Ｒ２０毎に得られた測光値（輝度情報）を測光回路１２に出力する。測光回路１２が測光センサ１８から出力された測光値をシステム制御部１に出力することで、システム制御部１は測光演算を行う。
【００１９】
次に、第１の実施の形態のデジタルカメラにおける動作を図１〜図１７を参照しながら詳細に説明する。図４〜図１１はデジタルカメラの動作の流れを示すフローチャートであり、システム制御部１が制御プログラムに基づき実行する。
【００２０】
図４及び図５のステップＳ１において、システム制御部１はレジスタ（図示略）の初期化、データの初期化、及び周辺回路の初期化等の初期設定を行う。次に、ステップＳ２において、システム制御部１は図２及び図３に示す撮影モード選択ボタン２０１等の設定ボタン、シャッタボタン２０６の撮影操作スイッチ、メイン電子ダイヤル２０７、サブ電子ダイヤル３１２等の操作状態の検出を行う。
次に、ステップＳ３において、システム制御部１は撮影モード選択ボタン２０１、ＡＦモード選択ボタン２０２、測光モード選択ボタン２０３、ＭＥＮＵボタン３０１、ＳＥＬＥＣＴボタン３０２等の設定ボタンが操作されていれば、ステップＳ４へ移行し、デジタルカメラの各種設定を行う設定モード処理を実行し、設定ボタンが操作されていなければ、ステップＳ５へ移行する。
【００２１】
ここで、上記の設定モード処理を図６及び図７に基づき詳細に説明する。図６及び図７のステップＳ１０１において、システム制御部１は図３のＭＥＮＵボタン３０１が操作されていれば、ステップＳ１０２へ移行し、ＭＥＮＵボタン関連処理、例えばＴＦＴ表示部３２３にデジタルカメラの各種情報を示すＭＥＮＵ画面を表示する等の処理を行いリターンする。ＭＥＮＵボタン３０１が操作されていなければ、ステップＳ１０３へ移行する。ステップＳ１０３において、システム制御部１はＳＥＬＥＣＴボタン３０２が操作されていれば、ステップＳ１０４へ移行し、ＳＥＬＥＣＴボタン関連処理を行いリターンする。ＳＥＬＥＣＴボタン３０２が操作されていなければ、ステップＳ１０５へ移行する。
【００２２】
ステップＳ１０５において、システム制御部１は音声／プロテクトボタン３０３が操作されていれば、ステップＳ１０６へ移行し、音声／プロテクトボタン関連処理、例えばＴＦＴ表示部３２３に画像が表示されていればマイク３１９を介した音声の入力処理を行いリターンする。音声／プロテクトボタン３０３が操作されていなければ、ステップＳ１０７へ移行する。ステップＳ１０７において、システム制御部１はＤＩＳＰボタン３０４が操作されていれば、ステップＳ１０８へ移行し、ＤＩＳＰボタン関連処理、例えば撮影画像をＣＦから再生し再生画像をＴＦＴ表示部３２３に表示する処理を行いリターンする。
【００２３】
本実施形態において上記再生画像を表示する際は、画像ファイルの添付情報である合焦測距点情報や構図変化情報を画像に重ねた状態でＴＦＴ表示部３２３に表示している。ここで、合焦測距点情報とは、合焦した時の測距点を示す測距点情報であり、数値で０、１、２、３、４、５の値であり、これら１〜５までの数値は、図１２（撮影画面と測距点との位置関係を示す図）で示す測距エリア内の位置情報Ｐ１、Ｐ２、Ｐ３、Ｐ４、Ｐ５に対応し、数値０は合焦測距点なしとしている。
【００２４】
また、合焦測距点が合った場合（合焦測距点＝１〜５）でも、構図変更なしと構図変更有りとでは、合焦測距点情報の表示を切り替えている。例えば、合焦測距点が１（撮影画面の中央）で構図変更なしの時は、図１４で示す通りＴＦＴ表示部３２３に表示する合焦マークを赤枠にし、合焦測距点が１で構図変更有りの時は、図１５で示す通りＴＦＴ表示部３２３に表示する合焦マークを緑枠にしている。更に、合焦測距点データがなし（合焦測距点＝０または０ｘＦＦ）の時は、図１６で示す通り合焦マークを表示せず画像のみの再生表示としている。
【００２５】
図６及び図７に戻り、上記ステップＳ１０７において、システム制御部１はＤＩＳＰボタン３０４が操作されていなければ、ステップＳ１０９へ移行する。ステップＳ１０９において、システム制御部１はＥＲＡＳＥボタン３０５が操作されていれば、ステップＳ１１０へ移行し、ＥＲＡＳＥボタン関連処理、例えばＴＦＴ表示部３２３に撮影画像が表示されていれば画像の消去処理を行いリターンする。ＥＲＡＳＥボタン３０５が操作されていなければ、ステップＳ１１１へ移行する。ステップＳ１１１において、システム制御部１はＱＵＡＬＩＴＹボタン３２１が操作されていれば、ステップＳ１１２へ移行し、ＱＵＡＬＩＴＹボタン関連処理、例えば撮影画像の画質を設定する処理を行いリターンする。ＱＵＡＬＩＴＹボタン３２１が操作されていなければ、ステップＳ１１３へ移行する。
【００２６】
ステップＳ１１３において、システム制御部１はＷＢボタン３２０が操作されていれば、ステップＳ１１４へ移行し、ＷＢボタン関連処理、例えば撮影画像のホワイトバランス設定処理を行いリターンする。ＷＢボタン３２０が操作されていなければ、ステップＳ１１５へ移行する。ステップＳ１１５において、システム制御部１はＡＦフレーム選択ボタン３１０が操作されていれば、ステップＳ１１６へ移行し、ＡＦフレーム選択ボタン関連処理、例えばＡＦ（オートフォーカス）するエリアを選択する処理を行いリターンする。ＡＦフレーム選択ボタン３１０が操作されていなければ、ステップＳ１１７へ移行する。ステップＳ１１７において、システム制御部１は露出補正ボタン２０８が操作されていれば、ステップＳ１１８へ移行し、露出補正ボタン関連処理、例えば露出補正量の設定処理を行いリターンする。露出補正ボタン２０８が操作されていなければ、ステップＳ１１９へ移行する。
【００２７】
ステップＳ１１９において、システム制御部１は測光モード選択ボタン２０３が操作されていれば、ステップＳ１２０へ移行し、測光モード選択ボタン関連処理を行い、リターンする。測光モード選択ボタン２０３が操作されていなければ、ステップＳ１２１へ移行する。ステップＳ１２１において、システム制御部１はＡＦモード選択ボタン２０２が操作されていれば、ステップＳ１２２へ移行し、ＡＦモード選択ボタン関連処理を行いリターンする。ＡＦモード選択ボタン２０２が操作されていなければ、ステップＳ１２３へ移行する。ステップＳ１２３において、システム制御部１は撮影モード選択ボタン２０１が操作されていれば、ステップＳ１２４へ移行し、撮影モード選択ボタン関連処理を行いリターンする。撮影モード選択ボタン２０１が操作されていなければ、そのままリターンする。
【００２８】
図４及び図５に戻り、ステップＳ５において、システム制御部１はシャッタボタン２０６の測光／ＡＦ開始スイッチがオフならば、ステップＳ１９へ移行し、デジタルカメラの動作を終了させるために、周辺回路への電源オフの指示やデータの退避等の終了設定を行い、動作を終了する。システム制御部１はシャッタボタン２０６の測光／ＡＦ開始スイッチがオンならば、ステップＳ６において、シャッタ秒時（ＣＣＤイメージセンサの電荷蓄積時間）、絞り値等を決定するための測光演算処理を行う。次に、ステップＳ７において、システム制御部１はＡＦロックフラグ（オートフォーカス（自動焦点調節）をロックしているかどうかを示す内部のメモリで管理しているフラグ）が０ならば、ステップＳ８へ移行し、ＡＦロックフラグが０でなければ、ステップＳ１５へ移行する。
【００２９】
ＡＦロックフラグが０の場合、ステップＳ８において、システム制御部１は被写体に焦点を合わせるために、公知の位相差検出方式による測距動作を行う。次に、ステップＳ９において、測距した結果が合焦範囲内ならば、ステップＳ１０へ移行し、測距した結果が合焦範囲内でなければ、ステップＳ１３へ移行する。
【００３０】
測距した結果が合焦範囲内の場合、ステップＳ１０において、システム制御部１はＡＦロックフラグ＝１にセットする。次に、ステップＳ１１において、システム制御部１は測光演算処理を行い、測光センサ１８における分割（２１分割）された測光領域Ｒ０〜Ｒ２０毎に測光値を算出し、算出値を合焦時の測光値として内部メモリに記憶する。この場合、内部メモリにおける測光センサ１８の測光領域Ｒ０〜Ｒ２０に対応した記憶領域Ｓ（０）〜Ｓ（２０）に上記測光値を記憶する。次に、ステップＳ１２において、システム制御部１は合焦した測距点（合焦測距点）を内部メモリに記憶する。測距点と撮影画面との関係は図１２に示す通りとなっており、位置情報Ｐ１〜Ｐ５に対応した番号（１〜５）で内部メモリに記憶される。
【００３１】
測距した結果が合焦範囲内でない場合、ステップＳ１３において、システム制御部１は合焦測距点＝０にセットすることで、合焦した測距点がないことを内部メモリに記憶する。次に、ステップＳ１４において、システム制御部１は上述したように合焦していないので、合焦するように上記ステップＳ８の測距動作で得られたデータをもとにレンズを駆動する。
【００３２】
上記ステップＳ７でＡＦロックフラグが０でない場合、または上記ステップＳ１２の処理が終了した場合、または上記ステップＳ１４の処理が終了した場合、ステップＳ１５において、システム制御部１は測光演算等により求められたシャッタ秒時、絞り値等のデジタルカメラの情報を液晶表示部１４により表示する。
次に、ステップＳ１６において、システム制御部１はシャッタボタン２０６の撮影操作スイッチがオンならば、ステップＳ１７へ移行し、撮像部２により撮影動作を行う。
【００３３】
ここで、上記の撮影動作の内容を図８及び図９に基づき詳細に説明する。図８及び図９のステップＳ２０１において、システム制御部１は構図変化フラグ（構図変化が有ったかどうかを示す内部のメモリで管理しているフラグ）を０にセットする。この場合、構図変化フラグが０で構図変化なし、構図変化フラグが１で構図変化有りとしている。次に、ステップＳ２０２において、ＡＦロックフラグが１ならば、ステップＳ２０３へ移行し。ＡＦロックフラグが１でなければ、ステップＳ２０５へ移行する。
【００３４】
ＡＦロックフラグが１の場合、ステップＳ２０３において、システム制御部１は測光演算処理を行い、測光センサ１８における分割（２１分割）された測光領域Ｒ０〜Ｒ２０毎に測光値を算出し、算出値を撮影時の測光値として内部メモリに記憶する。この場合、内部メモリにおける測光センサ１８の測光領域Ｒ０〜Ｒ２０に対応した記憶領域Ｂ（０）〜Ｂ（２０）に上記測光値を記憶する。次に、ステップＳ２０４において、システム制御部１は構図変化検知を行い、ＡＦロックしてから撮影までの間に構図変化があったかどうかを判定する。
【００３５】
ここで、上記の構図変化検知を図１０に基づき詳細に説明する。図１０のステップＳ３０１において、システム制御部１は▲１▼式で示す演算（図５のステップＳ１１で記憶した合焦時の測光値の平均）と▲２▼式で示す演算（図８のステップＳ２０３で記憶した撮影時の測光値の平均）を行う。次に、ステップＳ３０２において、システム制御部１は▲３▼式で示す演算を行うことでａを算出し、▲４▼式で示す演算を行うことでｂを算出する。次に、ステップＳ３０３において、ｂが２１（測光センサ１８の分割された測光領域の数）よりも大きければ、ステップＳ３０４へ移行し、そうでなければリターンする。ステップＳ３０４において、ｂ×２の値がａ以上ならば、ステップＳ３０５へ移行し、そうでなければリターンする。
ステップＳ３０５において、システム制御部１は構図変化有りと判断し、構図変化が有る時のデータ処理を行いリターンする。
【００３６】
ここで、上記の構図変化が有る時のデータ処理を図１１（Ａ）〜（Ｃ）に基づき説明する。図１１（Ａ）のステップＳ４０１において、システム制御部１は構図変化フラグに１をセットしてリターンする。ここで、画像に添付する情報を、合焦測距点情報に構図変化情報を加味した情報とした場合（合焦測距点が０で合焦測距点なし、合焦測距点が１〜５で合焦測距点位置データ、合焦測距点が０ｘＦＦで構図変化有り）、図１１（Ｂ）のようにステップＳ５０１で合焦測距点位置データ＝０ｘＦＦとすることで、構図変化情報として代用が可能である。更に、上記方法とは別に、画像に構図変化情報を添付するのではなく、単に構図変化が有った時は、合焦測距点の表示をしないようにすれば良いだけならば、図１１（Ｃ）のようにステップＳ６０１で合焦測距点位置データ＝０とすることで、対応が可能である。
【００３７】
図８及び図９に戻り、上記ステップＳ２０２でＡＦロックフラグが１でない場合、または上記ステップＳ２０４の処理が終了した場合、ステップＳ２０５において、システム制御部１はＣＣＤイメージセンサに被写体の光学像を結像させるため、ＣＣＤイメージセンサの前方に配設されたミラーを上昇させるミラーアップ制御を行う。次に、ステップＳ２０６において、システム制御部１はＣＣＤイメージセンサにおける電荷の蓄積を開始する。次に、ステップＳ２０７において、システム制御部１はシャッタの先幕を走行させ、シャッタ秒時（ＣＣＤイメージセンサの電荷蓄積時間）の経過後、シャッタの後幕を走行させる。
【００３８】
次に、ステップＳ２０８において、システム制御部１はシャッタの走行が完全に終了するまで待ち、完了したらステップＳ２０９へ移行する。ステップＳ２０９において、システム制御部１はＣＣＤイメージセンサの電荷蓄積を終了させる。次に、ステップＳ２１０において、システム制御部１は上記ミラーを下降させるミラーダウン制御を行う。次に、ステップＳ２１１において、システム制御部１はＣＣＤイメージセンサから蓄積した画像信号の読み出しを行う。次に、ステップＳ２１２において、システム制御部１は読み出した画像信号に対して、ダーク補正処理、シェーディング補正処理、ホワイトバランス設定処理等の各種補正処理を行う。
【００３９】
次に、ステップＳ２１３において、システム制御部１は上記各種補正処理を行った画像を圧縮する圧縮処理を行う。次に、ステップＳ２１４において、システム制御部１は画像に添付するヘッダ情報を作成する。ヘッダ情報は、年月日、Ｔｖ（シャッタ秒時）、Ａｖ（絞り値）、合焦測距点、構図変化情報等の撮影情報などや、ヘッダ情報の後に配置されるＪＰＥＧ（Ｊｏｉｎｔ  Ｐｈｏｔｏｇｒａｐｈｉｃ  Ｅｘｐｅｒｔｓ  Ｇｒｏｕｐ）画像データのアドレスなどで構成されている。次に、ステップＳ２１５において、システム制御部１は図１３に示すように上記ヘッダ情報及びＪＰＥＧ画像データから構成された画像ファイルを作成する。次に、ステップＳ２１６において、システム制御部１は画像ファイルをＣＦカード等のハードディスク９に書き込みリターンする。
【００４０】
図４及び図５に戻り、ステップＳ１８において、システム制御部１はシャッタボタン２０６の測光／ＡＦ開始スイッチがオン操作されたならば、ステップＳ２へ戻り、シャッタボタン２０６の測光／ＡＦ開始スイッチがオン操作されていなければ、ステップＳ１９へ移行する。ステップＳ１９において、システム制御部１はデジタルカメラの動作を終了させるために、周辺回路への電源オフの指示やデータの退避等の終了設定を行い、動作を終了する。
【００４１】
また、上記画像ファイルに添付する情報として、合焦測距点情報に構図変化情報を加味した情報とすることは以下のように処理することで可能である。
【００４２】
（例１）合焦測距点の位置を示す合焦測距点位置情報以外の番号を構図変化情報として割り当てた場合
2004248229.tif 000003
（例２）合焦測距点情報における１バイトデータの最上位ビットを構図変化情報とし、残り７ビットを合焦測距点の位置を示す合焦測距点位置情報とした場合
2004248229.tif 000004
以上説明したように、第１の実施の形態によれば、フォーカスロックを行った後から構図変更されて撮影された場合は、撮影画像に対し構図変更されたことを示す情報を添付すると共に、記憶した撮影画像を再生し再生画像を表示する際には、通常の合焦した合焦測距点情報の表示とは別の表示（合焦マークを緑枠表示にするといった如く、例えば色を変える等）にすることで、構図変更があったことをユーザに明確に伝えることができ、従来のように再生画像と画像添付情報が合わないという不具合を防止することができる。
【００４３】
［第２の実施の形態］
本発明の第２の実施の形態を図１８〜図３０に基づいて詳細に説明する。尚、第２の実施の形態に係るデジタルカメラの制御系の構成（図１参照）、外観構造（図２及び図３参照）は、第１の実施の形態と同様であり、詳細は上述したので説明を省略する。
【００４４】
次に、第２の実施の形態のデジタルカメラにおける動作を図１〜図３、図１７、図１８〜図３０を参照しながら詳細に説明する。図１８〜図２５はデジタルカメラの動作の流れを示すフローチャートであり、システム制御部１が制御プログラムに基づき実行する。
【００４５】
図１８及び図１９のステップＳ７０１において、システム制御部１はレジスタ（図示略）の初期化、データの初期化、及び周辺回路の初期化等の初期設定を行う。次に、ステップＳ７０２において、図２及び図３に示す撮影モード選択ボタン２０１等の設定ボタン、シャッタボタン２０６の撮影操作スイッチ、メイン電子ダイヤル２０７、サブ電子ダイヤル３１２等の操作状態の検出を行う。次に、ステップＳ７０３において、システム制御部１は撮影モード選択ボタン２０１、ＡＦモード選択ボタン２０２、測光モード選択ボタン２０３、ＭＥＮＵボタン３０１、ＳＥＬＥＣＴボタン３０２等の設定ボタンが操作されていれば、ステップＳ７０４へ移行し、デジタルカメラの各種設定を行う設定モード処理を実行し、設定ボタンが操作されていなければ、ステップＳ７０５へ移行する。
【００４６】
ここで、上記の設定モード処理を図２０及び図２１に基づき詳細に説明する。
図２０及び図２１のステップＳ８０１において、システム制御部１は図３のＭＥＮＵボタン３０１が操作されていれば、ステップＳ８０２へ移行し、ＭＥＮＵボタン関連処理、例えばＴＦＴ表示部３２３にデジタルカメラの各種情報を示すＭＥＮＵ画面を表示する等の処理を行いリターンする。ＭＥＮＵボタン３０１が操作されていなければ、ステップＳ８０３へ移行する。ステップＳ８０３において、システム制御部１はＳＥＬＥＣＴボタン３０２が操作されていれば、ステップＳ８０４へ移行し、ＳＥＬＥＣＴボタン関連処理を行いリターンする。ＳＥＬＥＣＴボタン３０２が操作されていなければ、ステップＳ８０５へ移行する。
【００４７】
ステップＳ８０５において、システム制御部１は音声／プロテクトボタン３０３が操作されていれば、ステップＳ８０６へ移行し、音声／プロテクトボタン関連処理、例えばＴＦＴ表示部３２３に画像が表示されていればマイク３１９を介した音声の入力処理を行いリターンする。音声／プロテクトボタン３０３が操作されていなければ、ステップＳ８０７へ移行する。ステップＳ８０７において、システム制御部１はＤＩＳＰボタン３０４が操作されていれば、ステップＳ８０８へ移行し、ＤＩＳＰボタン関連処理、例えば撮影画像をＣＦカードから再生し再生画像をＴＦＴ表示部３２３に表示する処理を行いリターンする。
【００４８】
本実施形態において上記再生画像を表示する際は、画像ファイルの添付情報であるＡＥ（測光）ロックポイント情報や構図変化情報を画像に重ねた状態でＴＦＴ表示部３２３に表示している。ここで、ＡＥロックポイント情報とは、ＡＥロックした時の撮影画面に対する位置を示す位置情報であり、数値で０、１、２、３、４、５の値であり、１〜５までの数値は、図２６（撮影画面とＡＥロックポイントとの位置関係を示す図）で示す測距エリア内の位置情報Ｐ１、Ｐ２、Ｐ３、Ｐ４、Ｐ５に対応し、数値０はＡＥロックポイントなしとしている。
【００４９】
また、ＡＥロックポイントが合った場合（ＡＥロックポイント＝１〜５）でも、構図変更なしと構図変更有りとでは、ＡＥロックポイント情報の表示を切り替えている。例えば、ＡＥロックポイントが１（撮影画面の中央）で構図変更なしの時は、図２８で示す通りＴＦＴ表示部３２３に表示する合焦マークを赤枠にし、ＡＥロックポイントが１で構図変更有りの時は、図２９で示す通りＴＦＴ表示部３２３に表示する合焦マークを緑枠にしている。更に、ＡＥロックポイントがなし（ＡＥロックポイント＝０または０ｘＦＦ）の時は、図３０で示す通りＡＥロックポイントマークを表示せず画像のみの再生表示としている。
【００５０】
図２０及び図２１に戻り、上記ステップＳ８０７において、システム制御部１はＤＩＳＰボタン３０４が操作されていなければ、ステップＳ８０９へ移行する。ステップＳ８０９において、システム制御部１はＥＲＡＳＥボタン３０５が操作されていれば、ステップＳ８１０へ移行し、ＥＲＡＳＥボタン関連処理、例えばＴＦＴ表示部３２３に撮影画像が表示されていれば画像の消去処理を行いリターンする。ＥＲＡＳＥボタン３０５が操作されていなければ、ステップＳ８１１へ移行する。ステップＳ８１１において、システム制御部１はＱＵＡＬＩＴＹボタン３２１が操作されていれば、ステップＳ８１２へ移行し、ＱＵＡＬＩＴＹボタン関連処理、例えば撮影画像の画質を設定する処理を行いリターンする。ＱＵＡＬＩＴＹボタン３２１が操作されていなければ、ステップＳ８１３へ移行する。
【００５１】
ステップＳ８１３において、システム制御部１はＷＢボタン３２０が操作されていれば、ステップＳ８１４へ移行し、ＷＢボタン関連処理、例えば撮影画像のホワイトバランス設定処理を行いリターンする。ＷＢボタン３２０が操作されていなければ、ステップＳ８１５へ移行する。ステップＳ８１５において、システム制御部１はＡＦフレーム選択ボタン３１０が操作されていれば、ステップＳ８１６へ移行し、ＡＦフレーム選択ボタン関連処理、例えばＡＦ（オートフォーカス）するエリアを選択する処理を行いリターンする。ＡＦフレーム選択ボタン３１０が操作されていなければ、ステップＳ８１７へ移行する。ステップＳ８１７において、システム制御部１は露出補正ボタン２０８が操作されていれば、ステップＳ８１８へ移行し、露出補正ボタン関連処理、例えば露出補正量の設定処理を行いリターンする。露出補正ボタン２０８が操作されていなければ、ステップＳ８１９へ移行する。
【００５２】
ステップＳ８１９において、システム制御部１は測光モード選択ボタン２０３が操作されていれば、ステップＳ８２０へ移行し、測光モード選択ボタン関連処理を行いリターンする。測光モード選択ボタン２０３が操作されていなければ、ステップＳ８２１へ移行する。ステップＳ８２１において、システム制御部１はＡＦモード選択ボタン２０２が操作されていれば、ステップＳ８２２へ移行し、ＡＦモード選択ボタン関連処理を行いリターンする。ＡＦモード選択ボタン２０２が操作されていなければ、ステップＳ８２３へ移行する。ステップＳ８２３において、撮影モード選択ボタン２０１が操作されていれば、ステップＳ８２４へ移行し、撮影モード選択ボタン関連処理を行いリターンする。撮影モード選択ボタン２０１が操作されていなければ、そのままリターンする。
【００５３】
図１８に戻り、ステップＳ７０５において、システム制御部１はシャッタボタン２０６の測光／ＡＦ開始スイッチがオフならば、ステップＳ７１９へ移行し、デジタルカメラの動作を終了させるために、周辺回路への電源オフの指示やデータの退避等の終了設定を行い、動作を終了する。システム制御部１はシャッタボタン２０６の測光／ＡＦ開始スイッチがオンならば、ステップＳ７０６において、ＡＦロックフラグ（ＡＥ（測光）をロックしているかどうかを示す内部のメモリで管理しているフラグ）が０ならば、ステップＳ７０７へ移行し、ＡＦロックフラグが０でなければ、ステップＳ７１３へ移行する。
【００５４】
ＡＦロックフラグが０の場合、ステップＳ７０７において、システム制御部１はシャッタ秒時（ＣＣＤイメージセンサの電荷蓄積時間）、絞り値等を決定するための測光演算処理を行う。次に、ステップＳ７０８において、ンシステム制御部１はＡＥロックボタン３０９がオンならば、ステップＳ７０９へ移行し、ＡＥロックボタン３０９がオンでなければ、ステップＳ７１２へ移行する。
【００５５】
ＡＥロックボタン３０９がオンでない場合、ステップＳ７１２において、システム制御部１は内部メモリにおけるＡＥロックした位置情報を記憶するＡＥロックポイント記憶領域に０を格納し、ステップＳ７１３へ移行する。
【００５６】
ＡＥロックボタン３０９がオンの場合、ステップＳ７０９において、システム制御部１はＡＥロックフラグに１をセットし、ＡＥロックしていることを内部メモリに記憶する。次に、ステップＳ７１０において、システム制御部１は上記ステップＳ７０７で測光したデータをもとに、測光センサ１８における分割（２１分割）された測光領域Ｒ０〜Ｒ２０毎に測光値を算出し、算出値をＡＥロック時の測光値として内部メモリに記憶する。この場合、内部メモリにおける測光センサ１８の測光領域Ｒ０〜Ｒ２０に対応した記憶領域Ｓ（０）〜Ｓ（２０）に上記測光値を記憶する。次に、ステップＳ７１１において、システム制御部１はＡＥロックしたポイントを内部メモリに記憶する。ＡＥロックポイントと撮影画面との関係は図２６に示す通りとなっており、位置情報Ｐ１〜Ｐ５に対応した番号（１〜５）で内部メモリに記憶される。
【００５７】
上記ステップＳ７０６でＡＥロックフラグが０でない場合、または上記ステップＳ７１１の処理が終了した場合、または上記ステップＳ７１２の処理が終了した場合、ステップＳ７１３において、システム制御部１は被写体に焦点を合わせるために、公知の位相差検出方式による測距動作を行う。次に、ステップＳ７１４において、システム制御部１はステップＳ７１３の測距動作の結果をもとに、レンズを駆動する。次に、ステップＳ７１５において、システム制御部１は測光演算等により求められたシャッタ秒時、絞り値等のデジタルカメラの情報を液晶表示部１４により表示する。次に、ステップＳ７１６において、システム制御部１はシャッタボタン２０６の撮影操作スイッチがオンならば、ステップＳ７１７へ移行し、撮像部２により撮影動作を行う。
【００５８】
ここで、上記の撮影動作の内容を図２２及び図２３に基づき詳細に説明する。図２２及び図２３のステップＳ９０１において、システム制御部１は構図変化フラグ（構図変化が有ったかどうかを示す内部のメモリで管理しているフラグ）を０にセットする。この場合、構図変化フラグが０で構図変化なし、構図変化フラグが１で構図変化有りとしている。次に、ステップＳ９０２において、システム制御部１はＡＥロックフラグが１ならば、ステップＳ９０３へ移行し。ＡＥロックフラグが１でなければ、ステップＳ９０５へ移行する。
【００５９】
ＡＥロックフラグが１の場合、ステップＳ９０３において、システム制御部１は測光演算処理を行い、測光センサ１８における分割（２１分割）された測光領域Ｒ０〜Ｒ２０毎に測光値を算出し、算出値を撮影時の測光値として内部メモリに記憶する。この場合、内部メモリにおける測光センサ１８の測光領域Ｒ０〜Ｒ２０に対応した記憶領域Ｂ（０）〜Ｂ（２０）に上記測光値を記憶する。次に、ステップＳ９０４において、システム制御部１は構図変化検知を行い、ＡＥロックしてから撮影までの間に構図変化があったかどうかを判定する。
【００６０】
ここで、上記の構図変化検知を図２４に基づき詳細に説明する。図２４のステップＳ１００１において、システム制御部１は▲１▼式で示す演算（図１９のステップＳ７１１で記憶したＡＥロック時の測光値の平均）と▲２▼式で示す演算（図２２のステップＳ９０３で記憶した撮影時の測光値の平均）を行う。次に、ステップＳ１００２において、システム制御部１は▲３▼式で示す演算を行うことでａを算出し、▲４▼式で示す演算を行うことでｂを算出する。次に、ステップＳ１００３において、ｂが２１（測光センサ１８の分割された測光領域の数）よりも大きければ、ステップＳ１００４へ移行し、そうでなければリターンする。ステップＳ１００４において、ｂ×２の値がａ以上ならば、ステップＳ１００５へ移行し、そうでなければリターンする。ステップＳ１００５において、システム制御部１は構図変化有りと判断し、構図変化が有る時のデータ処理を行いリターンする。
【００６１】
ここで、上記の構図変化が有る時のデータ処理を図２５（Ａ）〜（Ｃ）に基づき説明する。図２５（Ａ）のステップＳ１１０１において、システム制御部１は構図変化フラグに１をセットしてリターンする。ここで、画像に添付する情報を、ＡＥロックポイント情報に構図変化情報を加味した情報とした場合（ＡＥロックポイントが０でＡＥロックポイントなし、ＡＥロックポイントが１〜５でＡＥロックポイント位置データ、ＡＥロックポイントが０ｘＦＦで構図変化有り）、図２５（Ｂ）のようにステップＳ１２０１でＡＥロックポイント＝０ｘＦＦとすることで、構図変化情報として代用が可能である。更に、上記方法とは別に、画像に構図変化情報を添付するのではなく、単に構図変化が有った時はＡＥロックポイント表示をしないようにすれば良いだけならば、図２５（Ｃ）のようにステップＳ１３０１でＡＥロックポイント＝０とすることで、対応が可能である。
【００６２】
図２２及び図２３に戻り、上記ステップＳ９０２でＡＦロックフラグが１でない場合、または上記ステップＳ９０４の処理が終了した場合、ステップＳ９０５において、システム制御部１はＣＣＤイメージセンサに被写体の光学像を結像させるため、ＣＣＤイメージセンサの前方に配設されたミラーを上昇させるミラーアップ制御を行う。次に、ステップＳ９０６において、システム制御部１はＣＣＤイメージセンサにおける電荷の蓄積を開始する。次に、ステップＳ９０７において、システム制御部１はシャッタの先幕を走行させ、シャッタ秒時（ＣＣＤイメージセンサの電荷蓄積時間）の経過後、シャッタの後幕を走行させる。
【００６３】
次に、ステップＳ９０８において、システム制御部１はシャッタの走行が完全に終了するまで待ち、完了したらステップＳ９０９へ移行する。ステップＳ９０９において、システム制御部１はＣＣＤイメージセンサの電荷蓄積を終了させる。次に、ステップＳ９１０において、システム制御部１は上記ミラーを下降させるミラーダウン制御を行う。次に、ステップＳ９１１において、システム制御部１はＣＣＤイメージセンサから蓄積した画像信号の読み出しを行う。次に、ステップＳ９１２において、システム制御部１は読み出した画像信号に対して、ダーク補正処理、シェーディング補正処理、ホワイトバランス設定処理等の各種補正処理を行う。
【００６４】
次に、ステップＳ９１３において、システム制御部１は上記各種補正処理を行った画像を圧縮する圧縮処理を行う。次に、ステップＳ９１４において、システム制御部１は画像に添付するヘッダ情報を作成する。ヘッダ情報は、年月日、Ｔｖ（シャッタ秒時）、Ａｖ（絞り値）、ＡＥロックポイント、構図変化情報等の撮影情報などや、ヘッダ情報の後に配置されるＪＰＥＧ画像データのアドレスなどで構成されている。次に、ステップＳ９１５において、システム制御部１は図２７に示すように上記ヘッダ情報及びＪＰＥＧ画像データから構成された画像ファイルを作成する。次に、ステップＳ９１６において、システム制御部１は画像ファイルをＣＦカード等のハードディスク９に書き込み、リターンする。
【００６５】
図１８及び図１９に戻り、ステップＳ７１８において、システム制御部１はシャッタボタン２０６の測光／ＡＦ開始スイッチがオン操作されたならば、ステップＳ７０２へ戻り、シャッタボタン２０６の測光／ＡＦ開始スイッチがオン操作されていなければ、ステップＳ７１９へ移行する。ステップＳ１９において、システム制御部１はデジタルカメラの動作を終了させるために、周辺回路への電源オフの指示やデータの退避等の終了設定を行い、動作を終了する。
【００６６】
また、上記画像ファイルに添付する情報として、ＡＥロックポイント情報に構図変化情報を加味した情報とすることは以下のようにすることで可能である。
【００６７】
（例１）ＡＥロックポイント情報以外の番号を構図変化情報として割り当てた場合
2004248229.tif 000005
０ｘＦＦ：構図変化有り（例２）ＡＥロックポイント情報（１バイトデータ）の最上位ビットを構図変化情報とし、残り７ビットをＡＥロックポイントの位置を示すＡＥロックポイント位置情報とした場合
2004248229.tif 000006
以上説明したように、第２の実施の形態によれば、測光ロックを行った後から構図変更されて撮影された場合は、撮影画像に対し構図変更されたことを示す情報を添付すると共に、記憶した撮影画像を再生し再生画像を表示する際には、通常の測光ロックした位置情報の表示とは別の表示（ＡＥロックポイントマークを緑枠表示にするといった如く、例えば色を変える等）にすることで、構図変更があったことをユーザに明確に伝えることができ、従来のように再生画像と画像添付情報が合わないという不具合を防止することができる。
【００６８】
［他の実施の形態］
上記実施の形態では、フォーカスロックまたは測光ロックを行ってから撮影が完了するまでの間に構図変化があった時は、画像と共に表示する合焦マークまたはＡＥロックポイントマークを緑枠表示としたが、本発明はこれに限定されるものではなく、例えば、上記の合焦マークまたはＡＥロックポイントマークを点滅表示するなどのように、構図変化があったことを撮影者に明示できるものであればよい。
【００６９】
本発明の目的は、実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７０】
この場合、記憶媒体から読み出されたプログラムコード自体が前述した実施の形態の機能を実現することになり、そのプログラムコードを記憶した記憶媒体は本発明を構成することになる。
【００７１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００７２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００７４】
［実施態様の例］
本発明の実施態様の例を以下に列挙する。
【００７５】
「実施態様１」  オートフォーカス機能による合焦後に合焦位置を固定するフォーカスロックしてから撮影が完了するまでの間の構図変化の有無を検出する構図変化検出手段と、撮影後に作成する画像ファイルに対し、前記構図変化検出手段により検出された前記フォーカスロックしてから撮影が完了するまでの間の構図変化の有無を示す構図変化情報を添付する情報制御手段とを有することを特徴とする構図変化検出処理装置。
【００７６】
「実施態様２」  前記情報制御手段は、前記フォーカスロックしてから撮影が完了するまでの間に前記構図変化検出手段により構図変化が検出された場合、前記画像ファイルに添付する合焦した時の測距点を示す合焦測距点情報に、合焦した測距点がないことと等価の情報或いは前記構図変化が検出されたことと等価の情報を加味することを特徴とする実施態様１記載の構図変化検出処理装置。
【００７７】
「実施態様３」  測光値を決定する測光ロックしてから撮影が完了するまでの間の構図変化の有無を検出する構図変化検出手段と、撮影後に作成する画像ファイルに対し、前記構図変化検出手段により検出された前記測光ロックしてから撮影が完了するまでの間の構図変化の有無を示す構図変化情報を添付する情報制御手段とを有することを特徴とする構図変化検出処理装置。
【００７８】
「実施態様４」  前記情報制御手段は、前記測光ロックしてから撮影が完了するまでの間に前記構図変化検出手段により構図変化が検出された場合、前記画像ファイルに添付する測光ロックした時の撮影画面に対する位置情報に、測光ロックポイントがないことと等価の情報或いは前記構図変化が検出されたことと等価の情報を加味することを特徴とする実施態様３記載の構図変化検出処理装置。
【００７９】
「実施態様５」  前記実施態様１乃至４の何れかに記載の構図変化検出処理装置を備えたことを特徴とする撮像装置。
【００８０】
「実施態様６」  撮影後の画像を表示する際に、前記構図変化があったことを識別可能に表示する表示制御手段を有することを特徴とする実施態様５記載の撮像装置。
【００８１】
「実施態様７」  撮影に関する設定から撮影が完了するまでの間の構図変化の有無を検出する工程と、撮影後に作成する画像ファイルに対し、前記検出された前記撮影に関する設定から撮影が完了するまでの間の構図変化の有無を示す構図変化情報を添付する工程とを有することを特徴とする構図変化検出処理方法。
【００８２】
「実施態様８」  撮影に関する設定から撮影が完了するまでの間の構図変化の有無を検出する機能と、撮影後に作成する画像ファイルに対し、前記検出された前記撮影に関する設定から撮影が完了するまでの間の構図変化の有無を示す構図変化情報を添付する機能を、コンピュータに実現させるためのプログラム。
【００８３】
「実施態様９」  構図変化検出処理方法を実行するプログラムを記憶したコンピュータにより読み出し可能な記憶媒体において、
前記構図変化検出処理方法は、撮影に関する設定から撮影が完了するまでの間の構図変化の有無を検出するステップと、撮影後に作成する画像ファイルに対し、前記検出された前記撮影に関する設定から撮影が完了するまでの間の構図変化の有無を示す構図変化情報を添付するステップとを有することを特徴とする記憶媒体。
【００８４】
【発明の効果】
以上説明したように、本発明によれば、構図変化検出手段により、撮影に関する設定から撮影が完了するまでの間の構図変化の有無を検出し、情報制御手段により、撮影後に作成する画像ファイルに対し、前記構図変化検出手段により検出された前記撮影に関する設定から撮影が完了するまでの間の構図変化の有無を示す構図変化情報を添付する。
【００８５】
これにより、前記撮影に関する設定として、例えばフォーカスロックを行った後から構図変更されて撮影された場合は、画像ファイルに対し構図変更されたことを示す情報を添付することで、撮影画像を再生し再生画像を表示する際には、上記画像ファイルに添付された情報に基づいて、通常の合焦した測距点情報の表示とは別の表示にすれば、構図変更があったことをユーザに明確に伝えることができ、従来のように再生画像と画像添付情報が合わないという不具合を防止することができる。
【００８６】
また、前記撮影に関する設定として、例えば測光ロックを行った後から構図変更されて撮影された場合は、画像ファイルに対し構図変更されたことを示す情報を添付することで、撮影画像を再生し再生画像を表示する際には、上記画像ファイルに添付された情報に基づいて、通常の測光ロックした位置情報の表示とは別の表示にすれば、構図変更があったことをユーザに明確に伝えることができ、従来のように再生画像と画像添付情報が合わないという不具合を防止することができる。
【図面の簡単な説明】
【図１】本発明の第１の実施の形態に係るデジタルカメラの構成を示すブロック図である。
【図２】デジタルカメラを上側から見た場合の構成を示す上面図である。
【図３】デジタルカメラを背面側から見た場合の構成を示す背面図である。
【図４】デジタルカメラの動作を示すフローチャートである。
【図５】図４のフローチャートの続きである。
【図６】デジタルカメラの設定モード処理を示すフローチャートである。
【図７】図６のフローチャートの続きである。
【図８】デジタルカメラの撮影動作処理を示すフローチャートである。
【図９】図８のフローチャートの続きである。
【図１０】デジタルカメラの構図変化検知処理を示すフローチャートである。
【図１１】（Ａ）は構図変化が有る時のデータ処理の第１の例、（Ｂ）は構図変化が有る時のデータ処理の第２の例、（Ｃ）は構図変化が有る時のデータ処理の第３の例を示すフローチャートである。
【図１２】撮影画面と測距点との位置関係を示す図である。
【図１３】画像ファイルの構成を示す図である。
【図１４】構図変更が無い時の再生画像の表示例を示す図である。
【図１５】構図変更が有る時の再生画像の表示例を示す図である。
【図１６】合焦測距点データが無い時の再生画像の表示例を示す図である。
【図１７】測光センサにおける分割例を示す図である。
【図１８】本発明の第２の実施の形態に係るデジタルカメラの動作を示すフローチャートである。
【図１９】図１８のフローチャートの続きである。
【図２０】デジタルカメラの設定モード処理を示すフローチャートである。
【図２１】図２０のフローチャートの続きである。
【図２２】デジタルカメラの撮影動作処理を示すフローチャートである。
【図２３】図２２のフローチャートの続きである。
【図２４】デジタルカメラの構図変化検知処理を示すフローチャートである。
【図２５】（Ａ）は構図変化が有る時のデータ処理の第１の例、（Ｂ）は構図変化が有る時のデータ処理の第２の例、（Ｃ）は構図変化が有る時のデータ処理の第３の例を示すフローチャートである。
【図２６】撮影画面とＡＥロックポイントとの位置関係を示す図である。
【図２７】画像ファイルの構成を示す図である。
【図２８】構図変更が無い時の再生画像の表示例を示す図である。
【図２９】構図変更が有る時の再生画像の表示例を示す図である。
【図３０】ＡＥロックポイントが無い時の再生画像の表示例を示す図である。
【符号の説明】
１  システム制御部（構図変化検出手段、情報制御手段、表示制御手段）
２  撮像部
３  撮像部制御回路
４  前バッファメモリ
５  画像処理部
６  メモリ制御部
７  後バッファメモリ
８  インタフェース
９  ハードディスク
１０  モータ制御回路
１１  シャッタ制御回路
１２  測光回路
１３  焦点検出回路
１４  液晶表示部
１５  画像表示部（表示制御手段）
１６  操作部
１７  レンズ制御回路
１８  測光センサ
３２３  ＴＦＴ表示部
【図１】
2004248229.tif 000007
【図２】
2004248229.tif 000008
【図３】
2004248229.tif 000009
【図４】
2004248229.tif 000010
【図５】
2004248229.tif 000011
【図６】
2004248229.tif 000012
【図７】
2004248229.tif 000013
【図８】
2004248229.tif 000014
【図９】
2004248229.tif 000015
【図１０】
2004248229.tif 000016
【図１１】
2004248229.tif 000017
【図１２】
2004248229.tif 000018
【図１３】
2004248229.tif 000019
【図１４】
2004248229.tif 000020
【図１５】
2004248229.tif 000021
【図１６】
2004248229.tif 000022
【図１７】
2004248229.tif 000023
【図１８】
2004248229.tif 000024
【図１９】
2004248229.tif 000025
【図２０】
2004248229.tif 000026
【図２１】
2004248229.tif 000027
【図２２】
2004248229.tif 000028
【図２３】
2004248229.tif 000029
【図２４】
2004248229.tif 000030
【図２５】
2004248229.tif 000031
【図２６】
2004248229.tif 000032
【図２７】
2004248229.tif 000033
【図２８】
2004248229.tif 000034
【図２９】
2004248229.tif 000035
【図３０】
2004248229.tif 000036